(57)【特許請求の範囲】
【請求項１】
少なくとも１つのガラス球（１）と、少なくとも１つのガラス球（１）内に入れられた少なくとも１つの発光手段（３）と、少なくとも１つのガラス球（１）が固定された口金（２）と、少なくとも１つの発光手段（３）に給電するためのリード（４，５）とを備え、口金（２）が口金フランジ（２０）と口金フランジ平面に対して平行な１つの共通平面に配置された少なくとも３つの基準突起（２１）とを有する前照灯用ランプにおいて、口金フランジ（２０）がその周囲に沿って配置された少なくとも３つの舌片（２２）を有し、これらの舌片（２２）が口金フランジ平面に対して垂直に弾性的に形成され、ランプ取付け口の縁部が基準突起２１と舌片２２との間に挟まれることにより、基準突起（２１）と共同してランプを前照灯内に固定することを特徴とする前照灯用ランプ。
【請求項２】
少なくとも３つの舌片（２２）が口金フランジ平面から突出するそれぞれ１つの湾曲部（２２ａ）を有することを特徴とする請求項１記載の前照灯用ランプ。
【請求項３】
口金フランジ（２０）がほぼ回転対称形に形成され、少なくとも３つの舌片（２２）が方位方向に延びていることを特徴とする請求項１記載の前照灯用ランプ。
【請求項４】
少なくとも３つの舌片（２２）が同種に形成され、同じ向きを有することを特徴とする請求項３記載の前照灯用ランプ。
【請求項５】
口金フランジ（２０）と少なくとも３つの舌片（２２）とが金属から構成されていることを特徴とする請求項１記載の前照灯用ランプ。
【発明の詳細な説明】
【０００１】
本発明は請求項１の前文に記載の前照灯用ランプに関する。
【０００２】
［Ｉ．従来の技術］
この種の前照灯用ランプは公開番号ＷＯ９７／２５７３３の国際公開パンフレットに記載されている。このパンフレットには、ガラス球と、このガラス球によって包囲されたコイルフィラメントと、口金と、コイルフィラメントに給電するためのリードとを備え、口金が口金フランジとこの口金フランジ平面に対して平行な１つの共通平面に配置された３つの基準突起とを備えている前照灯用ランプが記載されている。口金フランジはシールリングを収容するための溝を備えている。ソケットとして形成された後側の前照灯反射器開口部内にランプを固定することは、基準突起と口金フランジ上に載せられたシールリングとを用いて行なわれる。基準突起はソケットとして形成された前照灯反射器開口部内に食い込み、シールリングは前照灯反射器の外壁に当接する。従って、反射器開口部の縁部はシールリングと基準突起との間に挟まれて配置される。
【０００３】
［ＩＩ．発明の説明］
本発明の課題は、構成が簡単な口金を備えた前述の種類の前照灯用ランプを提供することにある。
【０００４】
この課題は本発明によれば請求項１の特徴事項によって解決される。本発明の特に有利な実施態様は従属請求項に記載されている。
【０００５】
本発明による前照灯用ランプは公知の上述のランプに比べて、口金フランジが口金フランジ周囲に沿って配置された少なくとも３つの舌片を有し、これらの舌片が口金フランジ平面に対して垂直に弾性的に形成されていることを特徴とする。これらの舌片は基準突起と共同して本発明による前照灯用ランプを前照灯のランプ取付け口内に固定することを可能にする。前照灯のランプ取付け口の縁部はランプの挿入後に基準突起と本発明による舌片との間に挟まれて固定される。シールリングおよび気密に形成されたプラスチック製口金下部は、前照灯自身がランプ取付け口を気密に閉鎖するためのシール手段を備えている場合には必要とされない。
【０００６】
口金フランジに一体成形された舌片が口金フランジ平面から突出する湾曲部をそれぞれ備えていると有利である。さらに、口金フランジとそれに一体成形された舌片とが金属から構成されていると有利である。このようにして最も簡単に、口金フランジ平面に対して垂直なばね作用と高い強度ならびに弾性とが達成される。本発明によるランプは回転運動によって前照灯のランプ取付け口内へ挿入されるので、口金フランジに一体成形された舌片が方位方向へ延び、同じ向きを有していると有利である。さらに、舌片が同種に形成されていると有利である。
【０００７】
［ＩＩＩ．優れた実施例の説明］
以下において本発明を優れた実施例に基づいて詳細に説明する。
【０００８】
本発明の優れた実施例は、自動車前照灯内へ取付けて使用するために、接着材なしで口金を取付けられた単コイルフィラメント形ハロゲン電球である。このランプは金属製口金２内に固定されたほぼ円筒状のガラス製ガラス球１を有している。ガラス球１の内部にはコイルフィラメント３が配置され、これは２つのリード４，５を介して電気的口金接触片６，７に接続されている。口金２は主として、ガラス球１の一端部が固定されている鉢形の金属製固定リング２ａと、この固定リング２ａが固定されている金属製調整リング２ｂと、金属製基準リング２ｃとを有している。口金２はさらに電気絶縁材料から構成された口金インシュレータ２ｄを有し、これは２つの口金接触片６，７の電気絶縁用として使われている。基準リング２ｃはほぼ回転対称形の口金フランジ２０を備えている。口金フランジ平面は基準リング２ｃのリング軸線に対して垂直に向けられている、従って同様にランプ長手軸線に対して垂直に向けられている。さらに、基準リング２ｃはその上縁に一体成形され半径方向へ外側に向けられた３つの基準突起２１を備え、これらの基準突起２１は口金フランジ平面に対して平行な１つの共通平面内を延びている。調整リング２ｂはその下縁に一体成形され半径方向へ外側に折り曲げられた３つの溶接片を有している。これらの溶接片は基準リング２ｃの基準突起２１上に載せられ、その基準突起２１に溶接される。口金フランジ２０はその周囲に沿って等間隔に分配された３つの同種の舌片２２を備えている。これらの舌片２２は半径方向ではなく、寧ろ方位方向に延びており、その自由端部が口金フランジ２０の平面から突出しているそれぞれ１つの湾曲部２２ａを有している。湾曲部２２ａは口金フランジ２０および基準リング２ｃのリング軸線に関して同じ向きを有している、すなわち口金フランジ２０と舌片２２とは基準リング２ｃのリング軸線を中心にして１２０°回転させた対称形に形成されている。舌片２２は口金フランジ２０と単一部品で実施されており、この口金フランジ２０と同様に金属から構成されている。舌片２２は口金フランジ２０の平面に対して垂直に、すなわち基準リング２ｃのリング軸線の方向につまりランプ長手軸線の方向にばね作用を与える。
【０００９】
本発明によるランプを自動車前照灯内に取付ける際、基準突起２１が舌片２２と協働する。基準突起２１は前照灯のランプ取付け口内に突入し、前照灯の内面に当接し、一方舌片２２は前照灯の外面に当接する。ランプを前照灯のランプ取付け口内に挿入した後、ランプはその長手軸線を中心にして四分の一回転されることによってその最終位置に固定される。ランプ取付け口の縁部は基準突起２１と舌片２２との間に挟まれて配置される。基準突起２１は国際公開第９７／２５７３３号パンフレットに記載されている基準突起と同じに形成されている。さらに、ランプはその国際公開パンフレットに同様に開示されているように押圧ばねを有しており、この押圧ばねはランプの長手軸線に対して垂直にばね作用を与え、これによって前照灯のランプ取付け口内にランプを側方から固定するのを保証する。
【図面の簡単な説明】
【図１】  本発明による前照灯用ランプを示す概略斜視図
【符号の説明】
１        ガラス球
２        口金
２ａ      固定リング
２ｂ      調整リング
２ｃ      基準リング
３        コイルフィラメント
４，５    リード
６，７    口金接触片
２０        口金フランジ
２１        基準突起
２２        舌片
【図１】
0004662524.tif 000002